(57)【要約】【課題】  圧縮空気の使用量が急激に変化しても、短時間のうちに圧縮空気の圧力を安定させることを可能ならしめる圧縮機設備を提供する。【解決手段】  燃焼装置Ｅに圧縮空気を供給する気体供給ライン３の途中に、放風制御弁４ａと、圧力センサＰＧ2を設け、燃焼装置Ｅに燃料が供給されているときは圧力センサＰＧ2で測定される圧縮空気の圧力が圧縮機本体２ｃのアンロードを回避し得る一定圧力になるように、また燃焼装置Ｅに燃料が供給されていないときは圧縮機本体２ｃから吐出される圧縮気体を完全に放風するように放風制御弁４ａを制御する圧力コントローラＰＣを設け、気体供給ライン３の接続部の直前に流量制御弁を３ａ設け、その上流側に流量計ＦＭを設けると共に、流量計ＦＭで測定される圧縮気体の流量が一定になるように流量制御弁３ａを制御する流量コントローラＦＣを設ける。【選択図】        図１
2006161754.tif 000002
【特許請求の範囲】
【請求項１】
圧縮機本体から吐出される圧縮気体を圧縮気体供給先に供給する気体供給ラインを備えた圧縮機設備であって、前記気体供給ラインの途中に設けられた放風制御弁と、前記気体供給ラインを流れる圧縮気体の圧力を測定する圧力センサと、前記圧縮気体供給先が圧縮気体の供給を要するときは前記圧力センサで測定される圧縮気体の圧力が前記圧縮機本体のアンロードを回避し得る一定圧力になるように前記放風制御弁の開度を調整し、またそれ以外のときはこの放風制御弁が全開するようにこの放風制御弁を制御する圧力コントローラと、前記気体供給ラインの前記圧縮気体供給先への接続部の直前に設けられた流量制御弁と、この流量制御弁の上流側に設けられ、前記圧縮気体供給先に供給される圧縮気体の流量を測定する流量計と、この流量計で測定される圧縮気体の流量が一定流量になるよう前記流量制御弁を制御する流量コントローラとを備えたことを特徴とする圧縮機設備。
【請求項２】
圧縮機本体から吐出される圧縮気体を圧縮気体供給先に供給する気体供給ラインを備えた圧縮機設備であって、前記気体供給ラインの途中に設けられたレシーバータンクと、このレシーバータンクに設けられた放風制御弁と、前記レシーバータンク内の圧縮気体の圧力を測定する圧力センサと、前記圧縮気体供給先が圧縮気体の供給を要するときは前記圧力センサで測定される圧縮気体の圧力が前記圧縮機本体のアンロードを回避し得る一定圧力になるように前記放風制御弁の開度を調整し、またそれ以外のときはこの放風制御弁が全開するようにこの放風制御弁を制御する圧力コントローラと、前記気体供給ラインの前記圧縮気体供給先への接続部の直前に設けられた流量制御弁と、この流量制御弁の上流側に設けられ、前記圧縮気体供給先に供給される圧縮気体の流量を測定する流量計と、この流量計で測定される圧縮気体の流量が一定流量になるよう前記流量制御弁を制御する流量コントローラとを備えたことを特徴とする圧縮機設備。
【請求項３】
圧縮機本体から吐出される圧縮気体を圧縮気体供給先に供給する気体供給ラインと、この気体供給ラインの途中に設けられたレシーバータンクと、このレシーバータンクに設けられた放風制御弁と、前記レシーバータンク内の圧縮気体の圧力を測定する圧力センサと、前記圧縮気体供給先が圧縮気体の供給を要するときは前記圧力センサで測定される圧縮気体の圧力が前記圧縮機本体のアンロードを回避し得る一定圧力になるように前記放風制御弁の開度を調整し、またそれ以外のときはこの放風制御弁が全開するようにこの放風制御弁を制御する圧力コントローラと、前記気体供給ラインの前記圧縮気体供給先への接続部の直前に設けられた流量制御弁と、この流量制御弁の上流側に設けられ、前記圧縮気体供給先に供給される圧縮気体の流量を測定する流量計と、この流量計で測定される圧縮気体の流量が一定流量になるよう前記流量制御弁を制御する流量コントローラとを備えた圧縮気体供給システムが複数設けられ、前記複数の圧縮気体供給システムのレシーバータンク同士を連通ラインで接続し、この連通ラインのそれぞれに開閉弁を介装すると共に、それぞれの開閉弁を挟む両側に、圧縮気体の圧力が設定圧力を超えると前記開閉弁を閉弁させる一方、設定圧力以下になると前記開閉弁を開弁させる開閉弁開閉制御手段を設けたことを特徴とする特徴とする圧縮機設備。
【請求項４】
圧縮機本体から吐出される圧縮気体を圧縮気体供給先に供給する圧縮機設備の制御方法であって、前記圧縮気体供給先の前記圧縮気体の流量が一定流量になるように制御し、前記圧縮気体供給先が圧縮気体の供給を要するときは前記圧縮機本体から吐出される圧縮気体の圧力がこの圧縮機本体のアンロードを回避し得る一定圧力になるようにこの圧縮機本体から吐出される圧縮気体の一部を放風し、またそれ以外のときはこの圧縮機本体から吐出される圧縮気体の全量を放風することを特徴とする圧縮機設備の制御方法。
【発明の詳細な説明】
【技術分野】
【０００１】
本発明は、例えば工場等の空気供給源等として一般産業用に多用されている圧縮機設備の改善に関し、より詳しくは、圧縮気体の使用量の急激な増大により圧縮気体の圧力が変化したとしても、短時間のうちに圧縮気体の圧力を安定させることを可能ならしめるようにした圧縮機設備およびその制御方法に関するものである。
【背景技術】
【０００２】
圧縮機は、例えば工場等の空気源等として一般産業用に用いられる圧縮機設備において広く使用されており、複数の圧縮機を様々な負荷変動に応じて稼働させて圧力一定制御を行うようにしたものがある。このような圧縮機の台数制御システムの従来技術としては、例えば後述するような構成になるものが知られている。以下、この従来技術に係る圧縮機の台数制御システムの概要を、圧縮機の台数制御システムを適用した圧縮機設備の全体構成を示すブロック図の図４を参照しながら説明する。
【０００３】
この従来技術に係る圧縮機設備は、２台のターボ圧縮機６０，７０と２台のスクリュー圧縮機８０，９０とを備えている。また、これら異なる種類の複数台の圧縮機から圧送される気体を貯蔵するレシーバータンク５２と、このレシーバータンク５２から、例えば動力源として工場の生産ラインの機器やユーティリティ機器へ送られる圧送圧力に応じて、複数の圧縮機の台数制御を行う台数制御盤５１とから構成されている。
【０００４】
このような圧縮機設備において、先ず一の種類のターボ圧縮機６０，７０は、吸込んだ大気を圧縮機本体６４，７４により圧送し、圧送圧力を圧力調節計６６，７６により検出し、圧縮機の負荷が減少した場合には吸込絞り弁６３，７３の開度を絞って圧送流量を減少させ、さらに負荷が減少して吸込絞り弁６３，７３の開度がＬＬＲ（ローリミットリレー）６２，７２により設定される下限開度になってもなお負荷に対して圧送流量が多い場合には、吸込絞り弁６３，７３の開度を下限開度で維持しながら、放風弁６５，７５により必要以上の風量を大気へ放風することにより圧縮機のサージングを回避しながら圧送圧力を制御する定風圧制御方式になっている。
【０００５】
一方、他の種類のスクリュー圧縮機８０，９０は、大気から吸込んだ空気を圧縮機本体８４，９４により圧送し、レシーバータンク５２内の圧力を圧力センサ５３により検出し、設備への負荷が減少してレシーバータンク５２内の圧力が上昇した場合には、吸込絞り弁８３，９３を全閉すると同時に放風弁８５，９５を全開とし、これによって気体を圧送しない状態（アンロード）とし、逆に負荷が増大してレシーバータンク５２内の圧力が低下した場合には、吸込絞り弁８３，９３を全開にすると同時に放風弁８５，９５を全閉とし、これによって全量圧送する状態（オンロードまたはロード）とし、所謂アンロードとオンロードの切換によりレシーバータンク５２内の圧力を一定に制御するタンク圧一定方式となっている。また、このスクリュー圧縮機８０，９０は、その機側盤６１，７１へアンロードとオンロードの切換指令を入力することにより、吸込絞り弁６３，７３を全閉すると同時に放風弁６５，７５を全開する上記アンロード運転と、吸込弁８５，９５を全開し、これによって気体を全量圧送する上記オンロード運転との切換も可能になっている。
【０００６】
上記ターボ圧縮機６０，７０およびスクリュー圧縮機８０，９０から圧送された気体は一旦レシーバータンク５２内に貯蔵され、このレシーバータンク５２の内圧を圧力センサ５３により検出し、この検出圧力が台数制御盤５１に入力される。この台数制御盤５１では、圧力センサ５３により検出されたタンク内圧力に応じ、圧送に要する圧縮機の台数を選定し、各圧縮機の機側盤６１，７１，８１，９１に対しロード・アンロード指令、あるいは起動・停止指令を出力する。なお、これらの機側盤６１，７１，８１，９１は、所謂各圧縮機の制御盤であり、上記台数制御盤５１からの指令により各圧縮機がロード・アンロード切換あるいは起動・停止する。
【０００７】
そして、上記台数制御盤５１は、スクリュー圧縮機８０，９０がロード・アンロード切換制御を行っている間は、ターボ圧縮機６０，７０の制御と干渉しないよう、ターボ圧縮機側の圧力調節計６６，７６の設定圧力を上記スクリュー圧縮機のロード・アンロード切換制御圧力よりも高めに設定する。これとは逆に、スクリュー圧縮機の全台がアンロードあるいは停止している場合には、レシーバータンク５２の圧送圧力が上昇しないよう、上記台数制御盤５１は、ターボ圧縮機側の圧力調節計６６，７６の設定圧力を下げるためのターボ圧縮機への制御圧力切換指令を出力することが可能になっている。なお、符号６７，７７，８７，９７は何れも逆止弁である。
【０００８】
従って、この圧縮機設備によれば、常に、形式の異なる複数の圧縮機の中から負荷に対応した必要最小限の台数の圧縮機を選択して圧送するため、設備全体の省力化を行うことができると共に、異なる種類のターボ圧縮機とスクリュー圧縮機の間で制御が干渉することなく、種々の負荷変動に対しても、圧縮機設備の出力であるレシーバータンクからの圧縮空気の出力圧力を一定に制御することが可能になる。さらに、レシーバータンクの容量は、スクリュー圧縮機の容量だけを考慮すれば良いので、レシーバータンクの容量を小さくすることができる（例えば、特許文献１参照。）。
【特許文献１】特開平７−１１９６４４号公報
【発明の開示】
【発明が解決しようとする課題】
【０００９】
上記特許文献１に記載された従来例に係る圧縮機設備の場合には、上記のとおり、圧縮機設備は圧力センサによる圧力測定値のみに基づく放風制御弁や圧力制御弁の開度制御によって制御されるように構成されている。従って、末端の圧縮空気を使用する機器における圧縮空気の使用量への追従が遅く、圧力変動を避けることができない。特に、急激な圧縮空気の使用量に変動があった場合、定風圧制御のターボ圧縮機の上限制御圧力Ｐ4を超え、全圧縮機が一斉にアンロード運転になって、圧力が急激に低下して容積型圧縮機の下限制御圧力Ｐ1より低くなると、今後は全圧縮機が一斉にロード運転になるということを繰り返す恐れ、即ち圧力ハンチングを起こす恐れがある。
【００１０】
従って、本発明の目的は、圧縮空気の使用量が急激に変化したとしても、短時間のうちに圧力を安定させることを可能ならしめる圧縮機設備およびその制御方法を提供することである。
【課題を解決するための手段】
【００１１】
本発明は上記実情に鑑みてなされたものであって、従って上記課題を解決するために本発明の請求項１に係る圧縮機設備が採用した手段は、圧縮機本体から吐出される圧縮気体を圧縮気体供給先に供給する気体供給ラインを備えた圧縮機設備であって、前記気体供給ラインの途中に設けられた放風制御弁と、前記気体供給ラインを流れる圧縮気体の圧力を測定する圧力センサと、前記圧縮気体供給先が圧縮気体の供給を要するときは前記圧力センサで測定される圧縮気体の圧力が前記圧縮機本体のアンロードを回避し得る一定圧力になるように前記放風制御弁の開度を調整し、またそれ以外のときはこの放風制御弁が全開するようにこの放風制御弁を制御する圧力コントローラと、前記気体供給ラインの前記圧縮気体供給先への接続部の直前に設けられた流量制御弁と、この流量制御弁の上流側に設けられ、前記圧縮気体供給先に供給される圧縮気体の流量を測定する流量計と、この流量計で測定される圧縮気体の流量が一定流量になるよう前記流量制御弁を制御する流量コントローラとを備えたことを特徴とする。
【００１２】
本発明の請求項２に係る圧縮機設備が採用した手段は、圧縮機本体から吐出される圧縮気体を圧縮気体供給先に供給する気体供給ラインを備えた圧縮機設備であって、前記気体供給ラインの途中に設けられたレシーバータンクと、このレシーバータンクに設けられた放風制御弁と、前記レシーバータンク内の圧縮気体の圧力を測定する圧力センサと、前記圧縮気体供給先が圧縮気体の供給を要するときは前記圧力センサで測定される圧縮気体の圧力が前記圧縮機本体のアンロードを回避し得る一定圧力になるように前記放風制御弁の開度を調整し、またそれ以外のときはこの放風制御弁が全開するようにこの放風制御弁を制御する圧力コントローラと、前記気体供給ラインの前記圧縮気体供給先への接続部の直前に設けられた流量制御弁と、この流量制御弁の上流側に設けられ、前記圧縮気体供給先に供給される圧縮気体の流量を測定する流量計と、この流量計で測定される圧縮気体の流量が一定流量になるよう前記流量制御弁を制御する流量コントローラとを備えたことを特徴とする。
【００１３】
本発明の請求項３に係る圧縮機設備が採用した手段は、圧縮機本体から吐出される圧縮気体を圧縮気体供給先に供給する気体供給ラインと、この気体供給ラインの途中に設けられたレシーバータンクと、このレシーバータンクに設けられた放風制御弁と、前記レシーバータンク内の圧縮気体の圧力を測定する圧力センサと、前記圧縮気体供給先が圧縮気体の供給を要するときは前記圧力センサで測定される圧縮気体の圧力が前記圧縮機本体のアンロードを回避し得る一定圧力になるように前記放風制御弁の開度を調整し、またそれ以外のときはこの放風制御弁が全開するようにこの放風制御弁を制御する圧力コントローラと、前記気体供給ラインの前記圧縮気体供給先への接続部の直前に設けられた流量制御弁と、この流量制御弁の上流側に設けられ、前記圧縮気体供給先に供給される圧縮気体の流量を測定する流量計と、この流量計で測定される圧縮気体の流量が一定流量になるよう前記流量制御弁を制御する流量コントローラとを備えた圧縮気体供給システムが複数設けられ、前記複数の圧縮気体供給システムのレシーバータンク同士を連通ラインで接続し、この連通ラインのそれぞれに開閉弁を介装すると共に、それぞれの開閉弁を挟む両側に、圧縮気体の圧力が設定圧力を超えると前記開閉弁を閉弁させる一方、設定圧力以下になると前記開閉弁を開弁させる開閉弁開閉制御手段を設けたことを特徴とする特徴とする。
【００１４】
本発明の請求項４に係る圧縮機設備の制御方法が採用した手段は、圧縮機本体から吐出される圧縮気体を圧縮気体供給先に供給する圧縮機設備の制御方法であって、前記圧縮気体供給先の前記圧縮気体の流量が一定流量になるように制御し、前記圧縮気体供給先が圧縮気体の供給を要するときは前記圧縮機本体から吐出される圧縮気体の圧力がこの圧縮機本体のアンロードを回避し得る一定圧力になるようにこの圧縮機本体から吐出される圧縮気体の一部を放風し、またそれ以外のときはこの圧縮機本体から吐出される圧縮気体の全量を放風することを特徴とする。
【発明の効果】
【００１５】
本発明の請求項１に係る圧縮機設備および本発明の請求項４に係る圧縮機設備の制御方法によれば、圧縮気体供給先が圧縮気体の供給を要するときは圧力センサで測定される圧縮気体の圧力が、圧縮機本体のアンロード運転を回避し得る一定圧力になるように、圧力コントローラによって放風制御弁が制御されるから、圧縮気体の圧力変動の発生を防止することができる。また、流量制御弁より上流側の圧力変動のない安定した位置における圧縮気体の流量を測定する流量計の流量測定値の信号を受信する流量コントローラによって流量制御弁を制御するため、圧縮気体供給先に安定した量の圧縮気体を供給することができるのに加えて、圧縮気体供給先に供給する圧縮気体の圧力を短時間のうちに安定させることができる。
【００１６】
本発明の請求項２に係る圧縮機設備では、気体供給ラインにレシーバータンクが介装されると共に、このレシーバータンクに放風制御弁が設けられている。従って、本発明の請求項２に係る圧縮機設備によれば、上記請求項１に係る圧縮機設備と同等の効果を得ることができる。さらに、圧縮気体供給先の圧縮気体の消費量が変動した場合には、圧縮気体供給先に供給する圧縮気体の圧力・流量を上記請求項１に係る圧縮機設備の場合よりも迅速に安定させることができる。
【００１７】
本発明の請求項３に係る圧縮機設備では、圧縮気体供給システムが複数設けられ、複数の圧縮気体供給システムのレシーバータンク同士が連通ラインで接続され、この連通ラインのそれぞれに開閉弁が介装されると共に、それぞれの開閉弁を挟む両側に、圧縮気体の圧力が設定圧力を超えると前記開閉弁を閉弁させる一方、設定圧力以下になると前記開閉弁を開弁させる開閉弁開閉手段が設けられている。従って、本発明の請求項３に係る圧縮機設備によれば、個々の圧縮気体供給システムでは上記請求項２に係る圧縮機設備の場合と同等の効果が得られ、そして圧縮気体供給システムの集合体では、１台の圧縮機本体だけでは、その圧縮気体供給システムの圧縮気体供給先に供給する圧縮気体が不足する場合でも、他の圧縮気体供給システムのレシーバータンクから連通ラインを介して圧縮気体が補充される。そのため、気体消費装置に対してより柔軟に対応することができる。
【発明を実施するための最良の形態】
【００１８】
以下、本願発明の運転制御方法を実施する形態１に係る圧縮機設備を、添付図面を参照しながら説明する。図１は、本願発明の圧縮機設備の全体構成を示すブロック図である。
図に示す符号Ｅは、例えば、燃料と一定割合の空気とを混合・燃焼させるための燃焼装置（圧縮気体供給先）である。この燃焼装置Ｅには図示しない燃料ラインが接続され、同じく図示しない燃料源から、この燃料ラインを介して燃料が供給されるように構成されている。また、圧縮空気（圧縮気体）の流量が瞬時に０％から１００％に変化し得るものであり、この燃焼装置Ｅには本願発明の形態１に係る圧縮機設備１から圧縮空気が供給されるように構成されている。この燃焼装置Ｅの場合、燃料と空気との混合割合を正確に制御することが必要であるため、この燃焼装置Ｅに圧縮空気を供給する圧縮機設備１には、燃料のＯＮ（噴射）／ＯＦＦ（噴射停止）切換え時に、空気の混合量もできるだけ短時間で安定させる機能が要求される。なお、例えばバーナが、このような燃焼装置Ｅに該当する。
【００１９】
即ち、前記圧縮機設備１は、後述する圧縮機ユニット２を備えている。この圧縮機ユニット２は、フィルタ２ａ、吸気量調整弁２ｂを介して大気から吸込んだ空気を圧縮する、ロード／アンロード制御（インレットガイドベーン、放風制御弁を備えない。）される汎用の圧縮機本体２ｃを備えている。この圧縮機本体２ｃの吐出口に一端が連結された空気供給基ライン（気体供給基ライン）２ｄの先端に、供給基接続フランジ２ｅが設けられている。前記空気供給基ライン２ｄの圧縮機本体２ｃと供給基接続フランジ２ｅとの間から、途中に放風弁２ｇが介装され、先端にサイレンサＳが設けられてなる緊急放風ライン２ｆが分岐している。
【００２０】
前記放風弁２ｇの開度は、前記空気供給基ライン２ｄを流れる圧縮空気（圧縮気体）の圧力を検出する第１圧力センサＰＧ1から出力される圧力測定値の信号を受信して前記吸気量調整弁２ｂの開度を制御する圧縮機側操作盤ＣＰによって制御されるようになっている。つまり、前記放風弁２ｇは、前記空気供給基ライン２ｄを流れる圧縮空気の圧力が予め設定されたしきい値を超えると、前記圧縮機側操作盤ＣＰ1により開弁操作されるように構成されている。なお、この放風弁２ｇは必須ではないが、何らかの原因によって圧縮機設備１の圧力が異常に高圧になったときに、異常圧によりこの圧縮機設備１に生じる不具合を回避するために設けられてなるものである。
【００２１】
前記供給基接続フランジ２ｅに一端側が接続された、後述する構成になる空気供給ライン（気体供給ライン）３が前記燃焼装置Ｅに連通している。そして、この空気供給ライン３の途中から、放風制御弁４ａが介装され、先端にサイレンサSが設けられてなる放風ライン４が分岐している。前記放風制御弁４ａの開閉は、前記空気供給ライン３を流れる圧縮空気の圧力を検出する第２圧力センサＰＧ2から出力される圧力測定値の信号を受信する圧力コントローラＰＣによって制御されるように構成されている。なお、この圧力コントローラＰＣには燃焼装置Ｅの図示しない制御装置から前記燃焼装置Ｅに燃料が供給されているか否かを示す燃料供給信号が送信されるように構成されている。従って、前記放風制御弁４ａの開閉は、前記第２圧力センサＰＧ2からの圧力測定値の信号と共に、前記燃料供給信号に基づいて制御される。
【００２２】
また、前記空気供給ライン３の放風ライン４の分岐部と前記燃焼装置Ｅの間、具体的には、この空気供給ライン３の燃焼装置Ｅへの接続部の直前に流量制御弁３ａが介装されている。そして、この流量制御弁３ａの開度は、この空気供給ライン３の流量制御弁３ａの上流側に介装されてなる流量計ＦＭから出力される流量測定値の信号を受信する流量コントローラFＣによって制御されるようになっている。
【００２３】
上記構成になる圧縮機設備１によれば、ロード／アンロード制御される圧縮機本体２ｃが駆動されて、空気供給基ライン２ｄ、空気供給ライン３を介して燃焼装置Ｅに燃焼用の圧縮空気が供給される。そして、前記燃料供給信号が燃焼装置Ｅに燃料が供給されていることを示すものである場合、即ち、燃焼装置Ｅが圧縮空気の供給を要する場合にあっては、圧力コントローラＰＣがそれを判断し、さらに（この圧力コントローラＰＣが）第２圧力センサＰＧ2からの圧力測定値の信号に基づき、放風制御弁４ａの開度を調整し、燃焼装置Ｅに供給される燃焼用の圧縮空気の圧力をアンロード圧力以下の一定圧力、つまり圧縮機本体２ｃがアンロードしない一定圧力になるように制御する。
【００２４】
そして、空気供給ライン３に介装されてなる流量計ＦＭから出力される流量測定値の信号を受信する流量コントローラFＣによって開度が制御される流量制御弁３ａにより、燃焼装置Ｅに一定量の燃焼用の圧縮空気が供給される。このことは、燃料と空気との混合割合を安定させるから、燃焼装置Ｅが安定運転されることを意味する。一方、燃焼装置Ｅの運転開始等、燃料が燃焼装置Ｅに供給されていないときには、その燃焼装置Ｅに燃焼用の圧縮空気の供給を要しない。その場合、圧力コントローラＰＣは前記燃料供給信号が燃焼装置Ｅに燃料が供給されていないことを示すものであることを判断し、放風制御弁４ａを全開させる。すると、圧縮機本体２ｃから吐出される圧縮空気の全量が放風制御弁４ａの開弁により空気供給ライン３から放風されるので、圧縮機本体２ｃがアンロード運転になることなく、ロード運転が継続される。勿論、燃焼装置Ｅへの燃料の供給開始に併せて放風制御弁４ａは全開の状態から脱し、上記のとおり、第２圧力センサＰＧ2からの圧力測定値の信号に基づき開閉される。
【００２５】
本発明の形態１に係る圧縮機設備１によれば、上記のとおり、燃焼装置Ｅが運転されていて、燃焼装置Ｅが圧縮空気の供給を要しているときには、第２圧力センサＰＧ2により測定される燃焼用の圧縮空気の圧力が、圧縮機本体２ｃのアンロードを回避し得る一定圧力になるように、圧力コントローラＰＣによって放風制御弁４ａの開度が制御されるから、燃焼用の圧縮気体の圧力変動の発生が防止される。また、圧力変動のない安定した位置、つまり空気供給ライン３の流量制御弁３ａの介装位置より上流側位置における圧縮空気の流量を測定する流量計ＦＭの圧力測定値の信号を受信する流量コントローラＦＣによって流量制御弁３ａを制御するため燃焼装置Ｅに安定した量の圧縮空気を供給することができるのに加えて、燃焼装置Ｅに供給する圧縮空気の圧力を短時間のうちに安定させることができる。
【００２６】
従って、本発明の形態１に係る圧縮機設備１では、上記特許文献１に記載されてなる従来例に係る圧縮機設備のように、急激な圧縮空気の使用量に変動があっても、圧縮機本体がアンロード運転になったり、ロード運転になったりすることを繰り返すようなことがないから、圧力ハンチングを起こすようなこともない。
【００２７】
本発明の形態２に係る圧縮機設備を、この圧縮機設備の全体構成を示すブロック図の図２を参照しながら以下に説明する。但し、本発明の形態２に係る圧縮機設備が上記実施の形態１に係る圧縮機設備の構成と相違するところは、空気供給ラインの途中にレシーバータンクが介装されている点、並びに放風ラインの接続位置が相違する点にあり、これらの点以外は上記実施の形態１に係る圧縮機設備と同構成になるものである。従って、本発明の形態２に係る圧縮機設備の構成については、上記実施の形態１に係る圧縮機設備と同一のもの並びに同一機能を有するものに同一符号を付して、主としてその相違する点について説明する。
【００２８】
本発明の形態２に係る圧縮機設備１では、図２に示すように、空気供給ライン３の途中に、圧縮空気を貯留するレシーバータンク５が介装されている。そして、このレシーバータンク５に、先端にサイレンサＳが設けられると共に、放風制御弁４ａが介装されてなる放風ライン４の基端側が接続されてなる構成になっている。
【００２９】
本発明の形態２に係る圧縮機設備１では、上記のとおり、空気供給ライン３にレシーバータンク５が介装されていて、このレシーバータンク５に圧縮空気が貯留されている。従って、本発明の形態２に係る圧縮機設備１によれば、燃焼装置Ｅの圧縮空気の消費量が変動しても、空気供給ライン３とレシーバータンク５内の圧縮空気の圧力変動が抑制され、燃焼装置Ｅに供給する圧縮空気の圧力・流量を上記請求項１に係る圧縮機設備１の場合よりも迅速に安定させることができるという優れた効果を得ることができる。
【００３０】
本発明の形態３に係る圧縮機設備を、この圧縮機設備の全体構成を示すブロック図の図３を参照しながら説明する。但し、本実施の形態３に係る圧縮機設備が上記実施の形態２に係る圧縮機設備と相違するところは、上記実施の形態２に係る圧縮機設備と同構成になる圧縮機設備が複数セット併設されている点、並びにレシーバータンク同士が連通可能に構成されている点にあり、これらの点以外は上記実施の形態３に係る圧縮機設備と同構成になるものである。従って、本発明の形態３に係る圧縮機設備の構成については、上記実施の形態２に係る圧縮機設備と同一のもの並びに同一機能を有するものに同一符号を付して、主としてその相違する点について説明する。
【００３１】
即ち、本発明の形態３に係る圧縮機設備では、上記形態２に係る圧縮機設備と同構成になる圧縮機設備１と燃焼装置Ｅとの組み合せからなる圧縮空気供給システム（圧縮気体供給システム）が複数セット併設されている。これら複数の圧縮気体供給・消費システムそれぞれの隣接するレシーバータンク５同士が、後述する連通ライン６で接続されている。
【００３２】
そして、この連通ライン６のそれぞれに開閉弁６ａが介装されると共に、それぞれの開閉弁６ａを挟む両側に、圧縮空気の圧力が設定圧力以上になったときに前記開閉弁６ａを閉弁させる一方、設定圧力以下になったときに開閉弁６ａを開弁させる圧力スイッチ（開閉弁開閉手段）ＰＳが設けられてなる構成になっている。なお、この形態３の場合には、上記のとおり、圧力スイッチＰＳにより開閉弁６ａが開閉されるように構成されているが、例えば圧力センサで開閉させるように構成しても良い。また、開閉弁６ａは、開度の中間の制御ができない全開、全閉タイプのものでよい。
【００３３】
従って、本発明の形態３に係る圧縮機設備によれば、個々の圧縮空気供給システムでは上記形態２に係る圧縮機設備の場合と同等の効果を得ることができる。さらに、圧縮空気供給システムの集合体では、１台の圧縮機本体２ｃだけでは、その圧縮空気供給システムの燃焼装置Ｅに供給する圧縮空気が不足するような場合、具体的には燃焼装置の圧縮空気の消費量が圧縮機本体１台の吐出量よりも多い場合であっても、他の圧縮空気供給システムのレシーバータンク５から連通ライン６を介して圧縮空気を補充して圧縮空気を供給することができる。そのため、燃焼装置Ｅに対してより柔軟に対応することができるという効果を得ることができる。
【図面の簡単な説明】
【００３４】
【図１】本発明の形態１に係る圧縮機設備の全体構成を示すブロック図である。
【図２】本発明の形態２に係る圧縮機設備の全体構成を示すブロック図である。
【図３】本発明の形態３に係る圧縮機設備の全体構成を示すブロック図である。
【図４】従来技術に係り、圧縮機の台数制御システムを適用した圧縮機設備の全体構成を示すブロック図である。
【符号の説明】
【００３５】
１…圧縮機設備
２…圧縮機ユニット，２ａ…フィルタ，２ｂ…吸気量調整弁，２ｃ…圧縮機本体，２ｄ…空気供給基ライン，２ｅ…供給基接続フランジ，２ｆ…緊急放風ライン，２ｇ…放風弁
３…空気供給ライン，３ａ…流量制御弁
４…放風ライン，４ａ…放風制御弁
５…レシーバータンク
６…連通ライン，６ａ…開閉弁
ＣＰ…圧縮機側操作盤
Ｅ…燃焼装置（圧縮気体供給先）
ＦＣ…流量コントローラ
ＦＭ…流量計
ＰＣ…圧力コントローラ
ＰＧ1…第１圧力センサ
ＰＧ2…第２圧力センサ
ＰＳ…圧力スイッチ
Ｓ…サイレンサ
【図１】
2006161754.tif 000003
【図２】
2006161754.tif 000004
【図３】
2006161754.tif 000005
【図４】
2006161754.tif 000006